(57)【要約】【課題】通信トラフィック量を削減しつつ、障害情報などの通知の取りこぼしを低減可能とするネットワーク管理方法を得ること。【解決手段】管理対象のイベントである管理イベントが発生した場合に、ネットワーク機器が、当該管理イベントが発生したことを通知するためのメッセージである管理イベント通知に該当する機器名を含めて送信し、ネットワーク管理装置が、受信した管理イベント通知を保存し、保存した管理イベント通知の内容に基づいて管理イベントの詳細情報を取得すべきかどうかを判断し、詳細情報を取得すべきであると判断した場合には、ネットワーク機器に対して詳細情報を要求するための詳細情報要求メッセージを送信し、ネットワーク機器は、詳細情報要求メッセージを受信すると当該メッセージに含まれる機器名の構成情報を詳細情報として返信する。【選択図】図５
2010245841.tif 000002
【特許請求の範囲】
【請求項１】
複数のネットワーク機器で構成されるネットワークを監視するネットワーク管理装置を備える管理ネットワーク、におけるネットワーク管理方法であって、
前記ネットワーク機器のそれぞれが、自身の機器名と、当該機器の状態や構成情報とを関連付けた管理情報を保持する管理情報保持第１ステップと、
前記ネットワーク管理装置が、前記ネットワーク機器それぞれの前記管理情報を保持する管理情報保持第２ステップと、
前記ネットワーク機器が、管理対象のイベントである管理イベントが発生した場合に、当該管理イベントが発生したことを通知するためのメッセージである管理イベント通知に、当該管理イベント通知の識別子であるメッセージ識別子、および当該管理イベントが発生した機器名を含めて送信する管理イベント通知ステップと、
前記ネットワーク管理装置が、受信した管理イベント通知を保存する管理イベント通知保存ステップと、
前記ネットワーク管理装置が、管理イベント対応処理を開始する処理開始ステップと、
前記ネットワーク管理装置が、前記管理イベント通知保存ステップで保存した管理イベント通知の内容に基づいて、管理イベントの詳細情報を取得すべきかどうかを判断する取得要否判断ステップと、
前記ネットワーク管理装置が、前記取得要否判断ステップにおいて詳細情報を取得すべきであると判断した場合に、前記ネットワーク機器に対して、詳細情報を要求するための詳細情報要求メッセージを、前記メッセージ識別子および前記機器名を含めて送信する詳細情報要求ステップと、
前記詳細情報要求メッセージを受信したネットワーク機器が、当該詳細情報要求メッセージに含まれる機器名の構成情報を前記管理情報から抽出し、当該構成情報を詳細情報として返信する詳細情報返信ステップと、
を含むことを特徴とするネットワーク管理方法。
【請求項２】
前記管理イベント通知ステップでは、管理イベントが警報に関する場合に、前記管理イベント通知に警報発生または警報回復を示すための項目を設けることとし、
前記取得要否判断ステップでは、前記管理イベント通知に設けられた項目に警報発生が示されている場合に、管理イベントの詳細情報を取得すべきであると判断する、
ことを特徴とする請求項１に記載のネットワーク管理方法。
【請求項３】
前記取得要否判断ステップでは、前記管理イベント通知に含まれる機器名が前記管理情報に登録されているかどうかを検索し、登録されていない場合に、管理イベントの詳細情報を取得すべきであると判断する、
ことを特徴とする請求項１または２に記載のネットワーク管理方法。
【請求項４】
前記管理イベント通知ステップでは、前記管理イベント通知に、さらに、管理イベントの重要度と管理イベントの該当するレイヤを示すレイヤ情報とを含めることとし、
前記取得要否判断ステップでは、前記管理イベント通知に含まれる重要度およびレイヤ情報に基づいて、管理イベントの詳細情報を取得すべきかどうかを判断する、
ことを特徴とする請求項１に記載のネットワーク管理方法。
【請求項５】
前記詳細情報要求ステップでは、さらに、
前記重要度およびレイヤ情報に基づいて、前記取得要否判断ステップにおいて詳細情報を取得すべきであると判断された管理イベントの優先度を決定し、当該優先度の高い順に前記詳細情報要求メッセージを送信する、
ことを特徴とする請求項４に記載のネットワーク管理方法。
【請求項６】
前記管理情報には、前記機器名の構成情報と、最終更新時である更新時間とを関連付けて保持し、また、前記管理イベント通知には、管理イベントの発生時刻を含めることとし、
前記詳細情報要求ステップでは、さらに、前記発生時刻を含めて前記詳細情報要求メッセージを送信し、
前記詳細情報返信ステップでは、前記詳細情報要求メッセージに含まれる機器名を取得し、当該機器名に関連付けられた状態で前記管理情報に登録されかつ更新時間が前記発生時刻以降である構成情報を抽出し、当該抽出結果を詳細情報として返信する、
ことを特徴とする請求項１〜５のいずれか１つに記載のネットワーク管理方法。
【請求項７】
前記管理ネットワークは、さらに、管理者端末であるネットワーク管理端末を備えることとし、
前記ネットワーク管理装置が、前記ネットワーク管理端末に対して、前記ネットワーク機器において管理イベントが発生したことを通知するためのイベント発生通知を送信するイベント発生通知ステップ、
をさらに含むことを特徴とする請求項１〜６のいずれか１つに記載のネットワーク管理方法。
【請求項８】
前記ネットワーク管理装置が、前記ネットワーク管理端末から、前記イベント発生通知により発生を通知された管理イベントの詳細情報の要求であるユーザ詳細要求を受信した場合に、他の管理イベント通知の処理に優先して、当該ユーザ詳細要求にて要求された詳細情報を取得すべきであると判断し、前記詳細情報要求メッセージを送信する詳細情報割込ステップと、
前記ネットワーク管理装置が、前記詳細情報要求割込ステップにて送信した詳細情報要求メッセージへの返信として詳細情報を受信した場合に、当該詳細情報を前記ネットワーク管理端末へ送信するユーザ通知ステップと、
をさらに含むことを特徴とする請求項７に記載のネットワーク管理方法。
【請求項９】
前記ネットワーク機器が、前記管理イベント通知ステップを実行してから所定の時間が経過するまでに、当該管理イベント通知ステップで送信した管理イベント通知に対する詳細情報要求メッセージを受信しない場合に、当該管理イベント通知を再送する再送ステップ、
をさらに含むことを特徴とする請求項１〜８のいずれか１つに記載のネットワーク管理方法。
【請求項１０】
管理ネットワークにおいて、複数のネットワーク機器で構成されるネットワークを監視するネットワーク管理装置であって、
前記ネットワーク機器が有する機能を特定する機器名と、当該機能の状態を示す構成情報とを関連付けた管理情報を保持するネットワーク情報管理手段と、
管理対象のイベントである管理イベントが発生したことを通知するためのメッセージであって、当該メッセージの識別子であるメッセージ識別子および当該管理イベントが発生した機器名を含むメッセージである、管理イベント通知を受信する管理イベント受信手段と、
前記管理イベント受信手段が受信した管理イベント通知を前記ネットワーク情報管理手段に保存し、また、管理イベント対応処理を開始し、前記ネットワーク情報管理手段から管理イベント通知を読み出す管理情報処理手段と、
前記管理情報処理手段から管理イベント通知を受け取った場合に、当該管理イベント通知の内容を解析し、管理イベントの詳細情報を取得するか否かを判断し、取得すると判断した場合にその旨を指示する管理イベント解析手段と、
前記管理イベント解析手段の指示にしたがい、前記ネットワーク機器に対して、詳細情報を要求するための詳細情報要求メッセージを、前記メッセージ識別子および前記機器名を含めて送信する管理情報取得手段と、
を備え、
前記管理情報処理手段は、前記管理情報取得手段が前記ネットワーク機器から受信する詳細情報を前記管理情報へ反映させる制御を行う、
ことを特徴とするネットワーク管理装置。
【請求項１１】
管理イベントが警報に関する場合には、前記管理イベント通知に警報発生または警報回復を示すための項目を設けることとし、
前記管理イベント解析手段は、前記管理イベント通知に設けられた項目に警報発生が示されている場合に、管理イベントの詳細情報を取得すべきであると判断する、
ことを特徴とする請求項１０に記載のネットワーク管理装置。
【請求項１２】
前記管理イベント解析手段は、前記管理イベント通知に含まれる機器名が前記管理情報に登録されているかどうかを検索し、登録されていない場合に、管理イベントの詳細情報を取得すべきであると判断する、
ことを特徴とする請求項１０または１１に記載のネットワーク管理装置。
【請求項１３】
前記管理イベント通知には、さらに、管理イベントの重要度と管理イベントの該当するレイヤを示すレイヤ情報とを含めることとし、
前記管理イベント解析手段は、前記管理イベント通知に含まれる重要度およびレイヤ情報に基づいて、詳細情報を取得すべきかどうかを判断する、
ことを特徴とする請求項１０に記載のネットワーク管理装置。
【請求項１４】
前記管理イベント解析手段は、さらに、
前記重要度および前記レイヤ情報に基づいて、詳細情報を取得すべきであると判断した管理イベントの優先度を決定し、当該優先度の高い順に前記詳細情報要求メッセージを送信するよう前記管理情報取得手段に指示する、
ことを特徴とする請求項１３に記載のネットワーク管理装置。
【請求項１５】
前記管理情報には、前記構成情報と、当該構成情報の最終更新時である更新時間とを関連付けて保持し、また、前記管理イベント通知には、管理イベントの発生時刻を含めることとし、
前記管理情報取得手段は、前記詳細情報要求メッセージに、前記構成情報の更新時刻として、前記管理イベント通知に含まれる前記発生時刻を含める、
ことを特徴とする請求項１０〜１４のいずれか１つに記載のネットワーク管理装置。
【請求項１６】
前記管理ネットワークが、さらに、管理者端末であるネットワーク管理端末を備える場合において、
前記ネットワーク管理端末との間で管理イベントに関するやり取りを行うユーザ処理手段、
をさらに備え、
前記管理情報処理手段は、前記ネットワーク情報管理手段から読み出した管理イベント通知を前記ユーザ処理手段に通知し、
前記ユーザ処理手段は、前記管理情報処理手段から前記管理イベント通知を受け取った場合に、前記ネットワーク管理端末に対して、管理イベントが発生したことを通知するためのイベント発生通知を送信する、
ことを特徴とする請求項１０〜１５のいずれか１つに記載のネットワーク管理装置。
【請求項１７】
前記ユーザ処理手段は、前記ネットワーク管理端末から、前記イベント発生通知により発生を通知された管理イベントの詳細情報の要求であるユーザ詳細要求を受信した場合に、当該ユーザ詳細要求を前記管理情報処理手段に転送し、
前記管理情報処理手段は、
前記ユーザ詳細要求を受け取った場合に、他の管理イベント通知の処理に優先して当該ユーザ詳細要求にて要求された詳細情報を取得するよう前記管理イベント解析手段に指示し、
前記管理情報取得手段および前記管理イベント解析手段から、前記ユーザ詳細要求に対する返信として詳細情報を取得した場合には、当該詳細情報を前記ユーザ処理手段に転送し、
前記ユーザ処理手段は、前記管理情報処理手段より詳細情報を受け取った場合に、当該詳細情報を前記ネットワーク管理端末へ送信する、
ことを特徴とする請求項１６に記載のネットワーク管理装置。
【請求項１８】
ネットワーク管理装置の監視対象であるネットワーク、を構成するネットワーク機器であって、
自機器の機能である機器名と、当該機能の状態である構成情報とを関連付けた管理情報を蓄積するネットワーク情報管理手段と、
管理対象のイベントである管理イベントが発生した場合に、当該管理イベントの内容を前記管理情報に反映させ、また、当該管理イベントが発生したことを通知するためのメッセージとして、当該メッセージの識別子であるメッセージ識別子および前記機器名を含めた管理イベント通知を生成する管理イベント生成手段と、
前記管理イベント通知を前記ネットワーク管理装置へ送信する管理イベント送信手段と、
前記ネットワーク管理装置から、前記機器名に応じた構成情報である詳細情報を要求する詳細情報要求メッセージを受信した場合に、当該詳細情報要求メッセージに含まれる機器名に対応する構成情報を前記管理情報から抽出し、当該構成情報を詳細情報として返信する管理情報要求処理手段と、
を備えることを特徴とするネットワーク機器。
【請求項１９】
前記管理情報には、前記機器名の構成情報と、当該構成情報の最終更新時である更新時間とを関連付けて保持し、また、前記管理イベント通知には、管理イベントの発生時刻を含めることとし、
さらに、前記ネットワーク管理装置から送られてくる詳細情報要求メッセージに、前記発生時刻が更新時間として含まれている場合において、
前記詳細情報要求メッセージに含まれる機器名に関連付けられた状態で前記管理情報に登録されかつ更新時間が前記発生時刻以降である構成情報を抽出し、前記管理情報要求処理手段に通知する管理情報解析手段、
をさらに備え、
前記管理情報要求処理手段は、前記管理情報解析手段に対して、前記詳細情報要求メッセージに含まれる機器名および更新時間を通知して構成情報の抽出を指示する、
ことを特徴とする請求項１８に記載のネットワーク機器。
【請求項２０】
前記管理情報要求処理手段は、前記管理イベントを送信してから所定の時間が経過するまでに、当該管理イベント通知に対する詳細情報要求メッセージを受信しない場合に、当該管理イベント通知を再送する、
ことを特徴とする請求項１８または１９に記載のネットワーク機器。
【発明の詳細な説明】
【技術分野】
【０００１】
本発明は、ネットワークの管理を行うためのネットワーク管理方法に関する。
【背景技術】
【０００２】
近年のネットワークの大規模化にともない、ネットワーク機器の台数は飛躍的に増加している。これにより、ネットワーク機器からの大量の通知を処理するネットワーク管理装置は、処理負荷が高くなり、迅速な運用管理業務が困難となっている。また、ＤＣＮ（Data  Communication  Network）は、コストの観点から狭帯域を使用することが多いため、通信量が膨大になれば、トラフィックが帯域を圧迫する。したがって、帯域不足によりネットワーク管理装置への通知漏れが発生する、ネットワーク機器への制御レスポンスが遅くなる、などの問題があった。
【０００３】
このような問題に対して様々な解決策が提案されている。ネットワーク管理装置の負荷を軽減する方法としては、たとえば、ネットワークに接続された複数ノードをグループに分けて構成し、各々のグループに対し監視サーバを設置することで、監視サーバの負荷低減と、管理情報の共有による監視サーバ間の通信コストの抑制とを図る方法がある（下記、特許文献１参照）。
【０００４】
また、ＤＣＮのトラフィックを削減する方法としては、たとえば、トラップの送出条件として、状態変化発生後に集約時間にわたって待機し、待機期間中に発生した状態変化情報をまとめて（ＯＲ取り）送付することで、トラップの発生を抑制し、トラフィックを削減する方法がある（下記、特許文献２参照）。
【０００５】
また、通知する情報を削減する方法としては、障害発生時に通知すべき情報を一時的に蓄積し、通知情報を圧縮して送信することで、管理装置へ送信する通知情報のサイズを縮小し、また、通知回数を削減する方法がある（下記、特許文献３参照）。
【０００６】
また、通知する情報を削減する方法として、管理対象ノードに差分状態を記憶するＭＩＢ（Management  Information  Base）を設け、当該差分ＭＩＢ情報のみを収集することによりデータ量を削減する方法がある（下記、特許文献４参照）。
【先行技術文献】
【特許文献】
【０００７】
【特許文献１】特開２００１−１４４７６１号公報
【特許文献２】特開２００４−１１２１７７号公報
【特許文献３】特開２０００−２１６７７９号公報
【特許文献４】特開２０００−６６９７８号公報
【発明の概要】
【発明が解決しようとする課題】
【０００８】
しかしながら、上記特許文献１の方法によれば、ネットワークグループ同士を接続するネットワークは共通であるため、共有ネットワークを介した通知の回数やサイズが増大すれば、トラフィックが帯域を圧迫し、上記同様の問題が発生する。また、生成するグループごとにネットワーク管理装置を設置する必要があるため、運用コストが高い、という問題があった。
【０００９】
また、上記特許文献２の方法によれば、通知回数の削減が可能である反面、状態変化情報をまとめて通知することから、共有ネットワークにおいてトラフィックが帯域を圧迫すれば、上記特許文献１の方法による場合と同様の問題が発生する。また、設定すべき待機時間の調整が難しい、という問題があった。
【００１０】
また、上記特許文献３の方法によれば、ネットワーク機器による圧縮処理とネットワーク管理装置での解凍処理のため、それぞれの処理負荷が高まる、という問題があった。
【００１１】
また、上記特許文献４の方法によれば、ネットワーク機器における差分情報の管理や差分情報を管理する領域が必要となるため、ネットワーク機器の処理負荷が高まる、という問題があった。
【００１２】
本発明は、上記に鑑みてなされたものであって、通信トラフィック量を削減しつつ、障害情報などの通知の取りこぼしを低減可能とするネットワーク管理方法を得ることを目的とする。
【課題を解決するための手段】
【００１３】
上述した課題を解決し、目的を達成するために、本発明は、ネットワーク管理装置を備え、当該ネットワーク管理装置が、複数のネットワーク機器を備えるネットワークを監視する管理ネットワーク、におけるネットワーク管理方法であって、前記ネットワーク機器のそれぞれが、自身の機器名と、当該機器の状態や構成情報とを関連付けた管理情報を保持する管理情報保持第１ステップと、前記ネットワーク管理装置が、前記ネットワーク機器それぞれの前記管理情報を保持する管理情報保持第２ステップと、前記ネットワーク機器が、管理対象のイベントである管理イベントが発生した場合に、当該管理イベントが発生したことを通知するためのメッセージである管理イベント通知に、当該管理イベント通知の識別子であるメッセージ識別子、および当該管理イベントが発生した機器名を含めて送信する管理イベント通知ステップと、前記ネットワーク管理装置が、受信した管理イベント通知を保存する管理イベント通知保存ステップと、前記ネットワーク管理装置が、前記管理イベント通知保存ステップで保存した管理イベント通知の内容に基づいて、管理イベントの詳細情報を取得すべきかどうかを判断する取得要否判断ステップと、前記ネットワーク管理装置が、前記取得要否判断ステップにおいて詳細情報を取得すべきであると判断した場合に、前記ネットワーク機器に対して、詳細情報を要求するための詳細情報要求メッセージを、前記メッセージ識別子および前記機器名を含めて送信する詳細情報要求ステップと、前記詳細情報要求メッセージを受信したネットワーク機器が、当該詳細情報要求メッセージに含まれる機器名の構成情報を前記管理情報から抽出し、当該構成情報を詳細情報として返信する詳細情報返信ステップと、を含むことを特徴とする。
【発明の効果】
【００１４】
本発明によれば、通信トラフィック量を抑制することができ、ＤＣＮ回線の輻輳期間を短縮することができる、という効果を奏する。
【図面の簡単な説明】
【００１５】
【図１】図１は、管理ネットワークの実施の形態１の構成例を示す図である。
【図２】図２は、管理情報のデータ構造例を示す概念図である。
【図３】図３は、実施の形態１におけるネットワーク機器の動作を示すフローチャートである。
【図４】図４は、管理イベント通知のデータ構成例を示す図である。
【図５】図５は、ネットワーク管理装置の動作を示すフローチャートである。
【図６−１】図６−１は、管理イベントに関する情報の従来の送信動作例を示すシーケンス図である。
【図６−２】図６−２は、実施の形態１を適用した送信動作例を示すシーケンス図である。
【図７】図７は、従来方式と、本実施の形態の方式との間で、時間軸に対するトラフィック量をプロットした場合の例を示す図である。
【図８】図８は、実施の形態２における管理ネットワークの構成例を示す図である。
【図９】図９は、実施の形態２における管理イベント通知の構成例を示す図である。
【図１０】図１０は、実施の形態２におけるネットワーク管理装置の動作を示すフローチャートである。
【図１１】図１１は、実施の形態３における管理ネットワークの構成例を示す図である。
【図１２】図１２は、実施の形態３の管理情報のデータ構造例を示す概念図である。
【図１３−１】図１３−１は、詳細情報要求メッセージのデータ構造例を示す図である。
【図１３−２】図１３−２は、回答メッセージのデータ構造例を示す図である。
【図１４】図１４は、本実施の形態の管理ネットワークの動作を説明するフローチャートである。
【図１５】図１５は、実施の形態４における管理ネットワークの構成例を示す図である。
【図１６】図１６は、実施の形態４のネットワーク管理装置の動作を示すフローチャートである。
【図１７】図１７は、実施の形態５における管理ネットワークの構成例を示す図である。
【図１８】図１８は、実施の形態５におけるネットワーク機器の動作を示すフローチャートである。
【発明を実施するための形態】
【００１６】
以下に、本発明にかかる管理ネットワークの実施の形態を図面に基づいて詳細に説明する。なお、この実施の形態によりこの発明が限定されるものではない。
【００１７】
実施の形態１．
図１は、本発明にかかる管理ネットワークの実施の形態１の構成例を示す図である。図１の管理ネットワークは、ネットワーク管理装置１と、ネットワーク機器２と、ネットワーク管理端末３と、ＤＣＮ４とを備える。ネットワーク管理装置１は、ネットワーク全体を管理する。ネットワーク管理端末３は、ネットワークの保守担当者であるユーザが管理する端末（管理者端末）である。ここで、ネットワーク機器２は、ネットワーク機器の１つとして代表的に示される。
【００１８】
ネットワーク管理装置１は、ネットワーク機器２から管理対象のイベントである管理イベントが発生したことを通知するメッセージである管理イベント通知を受信する管理イベント受信部１１と、管理イベント通知を解析し、詳細情報の取得要否を確認する管理イベント解析部１２と、管理イベント対応処理を行い、ネットワーク機器２から取得した詳細情報をネットワーク情報管理部１４へ反映させ、また、ネットワーク情報管理部１４内に管理イベント通知を保存する管理情報処理部１３と、ネットワーク機器の情報である管理情報を蓄積し、また、管理イベント通知を一時的に保存するネットワーク情報管理部１４と、ネットワーク管理端末３からの要求に応じて各ネットワーク機器の画面などへの通知を実行するユーザ処理部１５と、管理イベント解析部１２の指示にしたがって、詳細情報を要求する詳細情報要求メッセージを送信し、ネットワーク機器２から詳細情報を取得する管理情報取得部１６と、を備える。ここで、管理ネットワークにおいて管理対象となるイベントを「管理イベント」という。
【００１９】
ネットワーク機器２は、管理イベント通知を生成する管理イベント生成部２１と、管理イベント通知をネットワーク管理装置１へ通知する管理イベント送信部２２と、ネットワーク管理装置１からの詳細情報要求メッセージを処理する管理情報要求処理部２３と、自機器の情報である管理情報を蓄積する機器情報管理部２４とを備える。また、管理イベント生成部２１は、管理イベント発生時に、管理イベントの内容を機器情報管理部２４内に反映させる（後述）。なお、管理イベント通知とは、ネットワーク機器２において発生する管理イベントの概要のみを通知するメッセージである。
【００２０】
図２は、ネットワーク管理装置１のネットワーク情報管理部１４、およびネットワーク機器２の機器情報管理部２４が保持する、管理情報のデータ構造例を示す概念図である。図２の構造を有するデータを、以下、「管理情報」という。管理情報は、図２に示すように、各ネットワーク機器が備える機器の最新状態を保持する。図２のデータでは、機器に対して構成情報を持たせ、その関連性によって階層構造を持つ。なお、図２では、機器ごとに名称のみを示しているが、実際には、構成情報の内容（ステイタス）も管理する。
【００２１】
たとえば、機能：「Node」に、「Address」，「詳細」といった構成情報を設定する。「Address」にはネットワーク機器２のアドレスが入る。また、関連する下位の情報：「詳細」として、さらに複数の機器情報が紐付けられる。図２では、１以上の「Shelf」，「Performance」，「Alarm」といった機器が紐付けられる。ここで、「Shelf」は、基板をセットする棚である。「Performance」は、ネットワーク機器２の性能を示す様々な情報である。「Alarm」は、警報情報であって、障害情報，レイヤ情報，重要度などを保持する。また、「Shelf」には、さらに、関連する下位の情報：「詳細」として、１以上の「Package」が紐付けられる。機能：「Package」は、Package番号，Package種別，スロット位置、といった構成情報を備える。また、「Package」にはさらに、「詳細」として、機能：「Port」が紐付けられる。「Port」は、Port番号，種別などの構成情報を備える。
【００２２】
ネットワーク管理装置１のネットワーク情報管理部１４は、管理ネットワークに接続するネットワーク機器全てについて、図２の管理情報を保持する。一方、ネットワーク機器２の機器情報管理部２４は、自ネットワーク機器についてのみ管理情報を保持する。各機能は、管理ネットワークにおける所定の採番体系に則って識別子を付与され管理される。以下、当該識別子を「機器名」とする。
【００２３】
上記ネットワーク機器２は、たとえば、ＲＯＡＤＭ（Reconfigurable  Optical  Add／Drop  Multiplexer）やＬ２ＳＷ（Layer2  Switch）などで構成され、ネットワークにおけるトランスポートなどを担当する。
【００２４】
つづいて、以上のように構成された管理ネットワークにおける動作について説明する。図３は、実施の形態１におけるネットワーク機器２の動作を示すフローチャートである。ネットワーク機器２において管理イベントが発生すると、ネットワーク機器２の管理イベント生成部２１は、ネットワーク管理装置１に報告する管理イベント通知を生成し（ステップＳ１）、管理イベント送信部２２に通知する。これを受けた管理イベント送信部２２は、当該管理イベント通知をネットワーク管理装置１へ送信する（ステップＳ２）。
【００２５】
図４は、管理イベント通知のデータ構成例を示す図である。管理イベントは、たとえば、「メッセージＩＤ」，「機器名」，「発生時刻」，「状況」といった項目を備える。メッセージＩＤは、管理イベント通知を一意に特定するための識別子である。機器名は、上述同様、上記管理情報における機能を特定する識別子である。発生時刻は、ネットワーク機器２においてイベント発生時に取得されるシステム時刻である。状況は、管理イベントが警報であった場合に警報の発生／警報の回復などを示す。なお、図４に示すように、１つの管理イベント通知に複数の管理イベントについての情報を含めることができる。したがって、同タイミングで複数の管理イベントが発生した場合は、まとめて通知できる。
【００２６】
つづいて、ネットワーク機器２の管理イベント生成部２１は、管理イベントの内容を機器情報管理部２４の管理情報に反映させる（ステップＳ３）。管理情報要求処理部２３は、ネットワーク管理装置１からの詳細情報取得要求に備え待機する。
【００２７】
図５は、ネットワーク管理装置１の動作を示すフローチャートである。ネットワーク管理装置１の管理イベント受信部１１は、随時、ネットワーク機器２から管理イベント通知を受信する（ステップＳ１１）。なお、管理イベント受信部１１は、他のネットワーク機器（図示せず）からの管理イベント通知の受信も監視しており、他の機器からの管理イベント通知の受信が確認できた場合には、同様に管理イベント通知を処理する。管理イベント受信部１１は、受信した管理イベント通知を管理情報処理部１３に転送する。管理情報処理部１３は、受信した管理イベント通知をネットワーク情報管理部１４に格納する。
【００２８】
つづいて、管理情報処理部１３は、たとえば、タイマからの通知や、ネットワーク管理端末３からの管理イベントを処理すべき旨の指示などを検知すると、管理イベント対応処理を行う（ステップＳ１２）。管理情報処理部１３は、ネットワーク情報管理部１４から未処理の管理イベント通知を読み出し、ユーザ処理部１５および管理イベント解析部１２に転送する（ステップＳ１３）。
【００２９】
ユーザ処理部１５は、管理イベント通知を受信すると、ネットワーク管理端末３に対して管理イベントが発生したことを通知する処理（イベント発生通知）を行う。具体的には、たとえば、ネットワーク管理端末３に、管理イベント通知を受信した旨の画面表示などを行う。イベント発生通知は、どのような内容でもよい。たとえば、ユーザ処理部１５は、ネットワーク管理端末３の画面上に警告ランプを表示（点灯／消灯）させるよう制御してもよい。また、ユーザ処理部１５は、受信した管理イベント通知から機器名を抽出し、ネットワーク管理端末３に対して当該機器名を画面表示させてもよい。これらにより、管理者は、管理イベントが発生したことを把握できる。
【００３０】
管理イベント解析部１２は、管理情報処理部１３から受信した管理イベント通知を処理する。ところで、管理イベント通知は再送されることがあるので、管理イベント解析部１２は、処理の重複を避けるため、読み出した管理イベント通知をメッセージＩＤで集約する。そして、管理イベント解析部１２は、当該管理イベント通知に基づいて詳細情報の取得要否を決定する。本実施の形態では、管理イベント通知に含まれる「状況」が、「警報発生」を示す場合には、詳細情報を取得すると判断し（ステップＳ１４：Ｙｅｓ）、一方、「警報回復」や重複した警報を示す場合には、詳細情報を取得不要と判断する（ステップＳ１４：Ｎｏ）。また、管理イベント解析部１２は、ネットワーク情報管理部１４の管理情報に、当該「機器名」が登録されているかどうか検索し、登録されていない場合には、新たな機能やハードウェアなどが追加されたと判断して、詳細情報を取得すると判断する（ステップＳ１４：Ｙｅｓ）。
【００３１】
管理イベント解析部１２は、詳細情報の取得を行うと判断した管理イベント通知の「メッセージＩＤ」および「機器名」を指定して、管理情報取得部１６を介し、ネットワーク機器２に対して詳細情報要求メッセージを送信する。これを受けたネットワーク機器２の管理情報要求処理部２３は、機器情報管理部２４の管理情報から、当該機器名により特定される機能の構成情報を読み出す。たとえば、図２のデータを用いると、機器名により「ネットワーク機器２のPerformance」が指定された場合には、Performanceの全構成情報（図２でいえば「性能情報」など）を抽出する。管理情報要求処理部２３は、これらの構成情報を詳細情報として、たとえば、指定された「メッセージＩＤ」および「機器名」に当該詳細情報を添付し、ネットワーク管理装置１に返信する。ネットワーク管理装置１の管理情報取得部１６は、受信した詳細情報などを、管理イベント解析部１２を介し管理情報処理部１３に転送する。管理情報処理部１３は、当該詳細情報を、ネットワーク情報管理部１４内の管理情報に反映させる（ステップＳ１５）。
【００３２】
管理イベント解析部１２は、つづいて、全管理イベント通知の処理が完了したかどうかを判断し（ステップＳ１６）、管理イベント通知の処理が完了していない場合には（ステップＳ１６：Ｎｏ）、ステップＳ１４〜Ｓ１６の処理を繰り返す。一方、処理が完了した場合には（ステップＳ１６：Ｙｅｓ）、処理を終了する。
【００３３】
図６−１は、ネットワーク管理装置１とネットワーク機器群との間の、管理イベントに関する情報の従来の送信動作例を示すシーケンス図である。図６−１に示すように、従来方式では、ネットワーク機器＃１…＃ｎは、管理イベントが発生すると全ての詳細情報をネットワーク管理装置１に送信する。ネットワーク管理装置１は、受信した全ての詳細情報を対象に、詳細解析や障害処理といった処理を行う。
【００３４】
図６−２は、本実施の形態を適用した送信動作例を示すシーケンス図である。図６−２に示すように、本実施の形態の方式では、ネットワーク機器＃１…＃ｎは、管理イベントが発生すると概要（管理イベント通知）のみをネットワーク管理装置１に送信する。ネットワーク管理装置１は、管理イベント処理を行うにあたり、詳細情報の要否を確認してから、詳細情報を取得する。また、詳細解析などは、詳細情報を取得した管理イベントについてのみ行う。
【００３５】
図７は、従来方式と、本実施の形態の方式との間で、時間軸に対するトラフィック量をプロットした場合の例を示す図である。図７に示すように、従来方式ではバースト的にトラフィックが増加するが、本実施の形態の方式では、トラフィックの最大値は抑制される。一方、上記詳細情報の取得などの処理を必要に応じて行うので、管理イベントの処理を行う継続時間は長くなる。したがって、本実施の形態の方式は、トラフィックを平滑化する効果がある。
【００３６】
以上説明したように、本実施の形態では、管理イベントが発生した際には、管理イベントの発生といった概要のみをネットワーク管理装置へ通知し、詳細情報については、ネットワーク管理装置が必要に応じて取得する構成とした。これにより、特に、バースト的に管理イベントが発生した場合には、通信トラフィック量を抑制することができ、ＤＣＮ回線の輻輳期間を短縮することができる。また、詳細情報の取得の要否を確認してから取得するので、不要な詳細情報の取得処理を回避可能となり、ＤＣＮ回線の通信トラフィックの総量を抑制できる。
【００３７】
また、管理イベント通知の情報量を低減させることにより、ＤＣＮ回線上のトラフィックを平滑化し、大量のネットワーク機器において管理イベントが同時発生した場合にも、管理イベントの取りこぼしを回避可能となる。また、これにより、ネットワーク管理装置からみれば受信する情報量が縮小されることとなり、ネットワーク管理装置の処理負荷を軽減できる。したがって、より少数のネットワーク管理装置による大規模ネットワークの監視が可能となり、運用コストを削減できる。また、管理イベント通知には複数の管理イベントの情報を搭載可能としたので、同一のネットワーク機器にて複数の管理イベントが発生した場合にまとめて通知でき、さらに通信量を低減できる。
【００３８】
実施の形態２．
実施の形態１では、ネットワーク機器２にて発生した管理イベントのステイタスを管理イベント通知によって通知し、ネットワーク管理装置１が必要に応じてネットワーク機器２から詳細情報を取得する構成とした。本実施の形態では、管理イベントの重要度が高く、かつ、管理イベントが発生したレイヤの低い管理イベントの詳細情報を優先的に取得する場合を説明する。
【００３９】
図８は、本実施の形態における管理ネットワークの構成例を示す図である。図８の管理ネットワークは、ネットワーク管理装置１に代えてネットワーク管理装置１Ｂを備え、ネットワーク機器２に代えてネットワーク機器２Ｂを備える。また、ネットワーク管理装置１Ｂは、管理イベント解析部１２の代わりに管理イベント解析部１２Ｂを備える。管理イベント解析部１２Ｂは、管理イベント通知において、「重要度」および「レイヤ」を用いて詳細情報取得の必要性を判断し、また、取得の優先度をつける。ネットワーク機器２Ｂは、管理イベント生成部２１に代えて管理イベント生成部２１Ｂを備える。管理イベント生成部２１Ｂは、管理イベント通知を生成する際に「重要度」および「レイヤ情報」を含める。ここで、重要度は、イベントの性質に応じて付与されるステイタスである。レイヤ情報は、管理イベントの該当するレイヤを特定する情報である。
【００４０】
つづいて、以上のように構成された管理ネットワークにおける動作について説明する。ネットワーク機器２Ｂは、上述同様、管理イベントの発生時に図３の処理を行う。この際、管理イベント生成部２１Ｂは、管理イベントの内容に応じて重要度を決定し、管理イベントが発生したレイヤの情報を取得し、当該重要度および当該レイヤ情報を管理イベント通知に含める。
【００４１】
図９は、本実施の形態における管理イベント通知の構成例を示す図である。図９の管理イベント通知は、図４の管理イベント通知に「重要度」および「レイヤ情報」を追加した内容となっているが、「重要度」および「レイヤ情報」を備える他の構成でもよい。
【００４２】
図１０は、本実施の形態におけるネットワーク管理装置１Ｂの動作を示すフローチャートである。上述同様に、ステップＳ１１〜Ｓ１３の処理が行われると、つぎに、管理イベント解析部１２Ｂは、全ての管理イベント通知を対象に詳細情報の取得が必要かどうかを判断し、また、取得の優先度を決定する（ステップＳ２１）。
【００４３】
ステップＳ２１の処理の詳細を説明する。管理イベント解析部１２Ｂは、各管理イベント通知に含まれる重要度およびレイヤ情報に基づいて、詳細情報の取得の必要性を判断する。一般には、重要度が高く、かつレイヤ情報により示される該当レイヤが低い管理イベントが詳細情報の取得対象となる。さらに、管理イベント解析部１２Ｂは、詳細情報の取得対象とした管理イベントについて、取得の順序（優先度）を決定する。たとえば、重要度が最高であり、かつ、通信レイヤがレイヤ１である管理イベントを、Ｌ２やＬ３の管理イベントよりも優先することができる。
【００４４】
ここで、管理対象のネットワークが光ネットワークであって、光伝送規格としてＯＴＮ（Optical  Transport  Network）を利用する場合を挙げる。ＯＴＮはＯＣｈ（Optical  Channel）レイヤ，ＯＭＳ（Optical  Multiplex  Section）レイヤ，ＯＴＳ（Optical  Transport  Section）レイヤ、の３つのレイヤからなる。Ｏｃｈは波長変換部区間、ＯＭＳは光合分波部区間、ＯＴＳは光増幅部区間を示すため、レイヤは、ＯＴＳ，ＯＭＳ，Ｏｃｈの順に高くなる。この場合には、たとえば、重要度が高であり、該当レイヤがＯＴＳであるとすると、最も優先度が高いと判断できる。なお、優先度は運用管理の方針によって自由に決めてよい。方針によっては、レイヤが高い管理イベントを優先的に取得してもよい。
【００４５】
管理イベント解析部１２Ｂは、全ての管理イベント通知について詳細情報の取得必要性を判断して優先度を決定すると、つづいて、優先度が決定した管理イベント通知のメッセージＩＤおよび機器名と、決定した優先度とを、管理情報取得部１６に通知する。管理情報取得部１６は、管理イベント解析部１２Ｂから通知された優先度の高い順に、ネットワーク機器２Ｂに対し、詳細情報取得要求を送信する（ステップＳ２２）。管理情報取得部１６は、取得した詳細情報を管理情報処理部１３に転送し、管理情報処理部１３は、当該詳細情報をネットワーク情報管理部１４に格納する。
【００４６】
以上説明したように、本実施の形態では、管理イベント通知に重要度およびレイヤ情報を設けることとした。そして、重要度およびレイヤ情報に基づいて優先度を決定し、ネットワーク機器から優先度の高い順に詳細情報を取得することとした。これにより、運用管理方針によって優先度の高い管理イベントを先に処理することができ、柔軟な管理が可能となる。また、たとえばレイヤが低い管理イベントを優先する場合には、管理イベントの発生原因となりやすい情報から優先的に取得できるので、管理イベントの発生原因を早期に解析可能となる。
【００４７】
実施の形態３．
実施の形態１および２では、管理イベント通知の内容に基づいて詳細情報取得の必要性を判断し、機器名の構成情報を詳細情報として取得することとした。本実施の形態では、詳細情報取得要求時に更新時間を指定し、当該更新時間以降についての差分情報を詳細情報として取得する場合を説明する。
【００４８】
図１１は、本実施の形態における管理ネットワークの構成例を示す図である。図１１の管理ネットワークは、図１の管理ネットワークと比較すると、ネットワーク管理装置１に代えてネットワーク管理装置１Ｃを備え、ネットワーク機器２に代えてネットワーク機器２Ｃを備える。ネットワーク管理装置１Ｃは、管理イベント解析部１２に代えて管理イベント解析部１２Ｃを備える。ネットワーク機器２Ｃは、管理情報解析部２５をさらに備える。管理情報解析部２５は、詳細情報要求メッセージにおいて指定される更新時間に基づいて、管理情報から差分情報を抽出し、詳細情報として取得する。
【００４９】
図１２は、ネットワーク管理装置１Ｃのネットワーク情報管理部１４Ｃ、およびネットワーク機器２Ｃの機器情報管理部２４が保持する、本実施の形態の管理情報のデータ構造例を示す概念図である。本実施の形態では、管理情報に更新時間（日付／時間）を設ける。更新時間は、全機能（機器名）における構成情報それぞれに関連付けて保持される。
【００５０】
図１３−１は、ネットワーク管理装置１Ｃからネットワーク機器２Ｃに対して送信される詳細情報要求メッセージのデータ構造例を示す図である。図１３−１のメッセージは、たとえば、「メッセージＩＤ」，「機器名」，「更新時間」といった項目を備える。メッセージＩＤおよび機器名は、上述と同じである。なお、管理イベント通知は図４または図９の構成であるとし、更新時間には、管理イベント通知の「発生時刻」がセットされる。
【００５１】
図１３−２は、ネットワーク機器２Ｃからネットワーク管理装置１Ｃへ詳細情報を回答する回答メッセージのデータ構造例を示す図である。図１３−２のメッセージは、たとえば、「メッセージＩＤ」，「機器名」，「更新時間」，「構成情報詳細」といった項目を備える。「メッセージＩＤ」，「機器名」，「更新時間」には、図１３−１の詳細情報要求メッセージのデータと同じ値がセットされる。「構成情報詳細」には、指定された「機器名」に対応する構成情報がセットされる。
【００５２】
つづいて、以上のように構成された管理ネットワークの動作について説明する。図１４は、本実施の形態のネットワーク機器の動作を説明するフローチャートである。管理イベントが発生すると、ネットワーク機器２Ｃは、上述同様管理イベントについての処理を行い、管理イベント通知をネットワーク管理装置１Ｃに送信する（ステップＳ３１）。ネットワーク管理装置１Ｃの管理イベント解析部１２Ｃは、上述同様に詳細情報取得の要否を判断する。ここで、管理イベント解析部１２Ｃは、詳細情報の取得を行うと判断すると、取得対象の管理イベント通知に含まれる「メッセージＩＤ」，「機器名」および「発生時刻」を指定して、管理情報取得部１６を介し、ネットワーク機器２Ｃに対して詳細情報要求メッセージを送信する。
【００５３】
ネットワーク機器２Ｃの管理情報要求処理部２３は、ネットワーク管理装置１Ｃからの詳細情報要求メッセージを受信するまで待機し（ステップＳ３２：Ｎｏ）、詳細情報要求メッセージを受信すると（ステップＳ３２：Ｙｅｓ）、当該詳細情報要求メッセージに含まれる「機器名」と「更新時間」を管理情報解析部２５に転送し、構成情報の抽出を指示する。なお、管理情報要求処理部２３は、受信するまでの間は（ステップＳ３２：Ｎｏ）、ステップＳ３２の処理を繰り返す。
【００５４】
これを受けた管理情報解析部２５は、当該「機器名」を、機器情報管理部２４が保持する管理情報において検索する。そして、当該機器名に属する構成情報であって、「更新時間」が、詳細情報要求メッセージに含まれる更新時間以降である構成情報を確認し、抽出する（ステップＳ３３）。抽出できた場合、すなわち、当該機器名の構成情報が、詳細情報要求メッセージに含まれる更新時間以降に変更されている場合には（ステップＳ３４：Ｙｅｓ）、管理情報解析部２５は、抽出した構成情報である差分情報を管理情報要求処理部２３に通知する。管理情報要求処理部２３は、当該差分情報を詳細情報とし、詳細情報要求メッセージにおけるメッセージＩＤ，機器名および更新時間を添付して図１３−２のメッセージを作成し、当該メッセージをネットワーク管理装置１Ｃに返信する（ステップＳ３５）。一方、抽出できない場合、すなわち、当該機器名の構成情報が、詳細情報要求メッセージに含まれる更新時間以降に変更されていない場合や、当該情報が管理情報にない場合には（ステップＳ３４：Ｎｏ）、差分情報がない旨を管理情報要求処理部２３に通知する。管理情報要求処理部２３は、詳細情報要求メッセージにおけるメッセージＩＤ、機器名および更新時間を添付し、詳細情報がない旨をネットワーク管理装置１Ｃに返信する（ステップＳ３６）。
【００５５】
なお、ネットワーク管理装置１Ｃは、更新時間を指定しないこともできる。たとえば、図１３−１の詳細情報要求メッセージにおいて、「メッセージＩＤ」および「機器名」のみを指定する。この場合、ネットワーク機器２Ｃ側では、当該機器名の構成情報全てを回答する。
【００５６】
以上説明したように、本実施の形態では、ネットワーク機器が保持する管理情報に更新時間を設け、ネットワーク管理装置が詳細情報要求時に更新時間を指定することにより、指定された更新時間以降の情報である差分情報を詳細情報としてネットワーク管理装置へ送信することとした。これにより、詳細情報として回答する通信量を削減することができる。したがって、さらに通信トラフィック量を抑え、狭帯域のネットワークにおいても運用管理業務を効率的に遂行することが可能となる。
【００５７】
実施の形態４．
実施の形態１〜３では、ネットワーク管理装置における管理イベント処理の起動、またはネットワーク管理端末からの指令により詳細情報を取得する構成とした。本実施の形態では、ユーザからの要求をトリガとして詳細情報を取得する場合を説明する。
【００５８】
図１５は、本実施の形態における管理ネットワークの構成例を示す図である。この管理ネットワークは、図１の管理ネットワークと比較すると、ネットワーク管理装置１に代えてネットワーク管理装置１Ｄを備え、ネットワーク管理端末３に代えてネットワーク管理端末３Ｄを備える。
【００５９】
ネットワーク管理装置１Ｄは、管理イベント解析部１２に代えて管理イベント解析部１２Ｄを備え、ユーザ処理部１５に代えてユーザ処理部１５Ｄを備える。ユーザ処理部１５Ｄは、ユーザ処理部１５の機能に加え、ネットワーク管理端末３Ｄからの指示に応じて詳細情報取得を指示する。管理イベント解析部１２Ｄは、ユーザ処理部１５Ｄからの詳細情報取得指示を受けた場合、取得の必要性を判断せずに詳細情報を取得する制御を行う。ネットワーク管理端末３Ｄは、ユーザからの要求にしたがい、詳細情報の取得をネットワーク管理装置１Ｄに指示する。
【００６０】
つづいて、以上のように構成された管理ネットワークにおける動作について説明する。図１６は、本実施の形態のネットワーク管理装置１Ｄの動作を示すフローチャートである。なお、図１６の処理の前提として、上述のステップＳ１１およびＳ１２の動作が行われているとする。ステップＳ１２でネットワーク管理端末３Ｄへイベント発生通知がなされたことで、当該ネットワーク管理端末３Ｄのユーザが、管理イベントの発生を認識する。当該ユーザが、管理イベント発生を知らせる画面を確認し、操作部（図示せず）などの操作により管理イベントを指定して管理イベントの詳細を要求したとする。この場合、ネットワーク管理端末３Ｄは、当該要求にしたがって、詳細情報を要求するためのユーザ詳細要求をネットワーク管理端末１Ｄへ送信する。なお、管理イベント発生を知らせる画面のデータには、該当する管理イベント通知の機器名が含まれ、ユーザ詳細要求には、当該機器名を含めるとする。
【００６１】
ネットワーク管理端末１Ｄのユーザ処理部１５Ｄは、このユーザ詳細要求を受信すると（ステップＳ４１）、管理情報処理部１３Ｄに転送する。管理情報処理部１３Ｄは、当該ユーザ詳細要求に含まれる機器名を取得し、管理イベント解析部１２Ｄに当該機器名を指定して詳細情報の優先的な取得を指示する。優先的な取得の指示を受けた管理イベント解析部１２Ｄは、詳細情報取得の必要性などを確認することなく、管理情報取得部１６を用いて、詳細情報要求メッセージをネットワーク機器２に送信する。ネットワーク機器２の管理情報要求処理部２３は、当該詳細情報要求メッセージに基づいて機器情報管理部２４内の管理情報から詳細情報を取得し、ネットワーク管理装置１Ｄへ返信する（ステップＳ４２）。
【００６２】
ネットワーク管理装置１Ｄの管理情報取得部１６は、詳細情報などを受信すると、上述同様、当該詳細情報を管理情報処理部１３Ｄに転送する。管理情報処理部１３Ｄは、受信した詳細情報をネットワーク情報管理部１４内の管理情報に反映させる。また、管理情報処理部１３Ｄは、ユーザ処理部１５Ｄに詳細情報を転送し、これを受けたユーザ処理部１５Ｄは、当該詳細情報をさらにネットワーク管理端末３Ｄに送信する（ステップＳ４３）。ネットワーク管理端末３Ｄは、受信した詳細情報を画面に表示させる処理を行う。
【００６３】
また、上記では、ユーザからの要求があった場合の詳細情報の取得についてのみ説明したが、実施の形態１〜３で述べた、詳細情報の通常の取得処理も平行して行われる。ただし、ユーザからの要求による取得処理が優先して行われる。
【００６４】
以上説明したように、本実施の形態では、詳細情報の通常の取得処理を行うことに加えて、ユーザによる詳細情報の取得要求があった場合には、優先的に詳細情報を取得することとした。これにより、ユーザが必要とする情報を迅速に提供することができ、ユーザが管理イベント発生要因を早急に解析したい場合などに対応可能となる。したがって、管理ネットワークにおける柔軟な管理が可能となり、管理のレベルを向上させることができる。
【００６５】
実施の形態５．
実施の形態１〜４では、管理イベント通知が滞りなく到達することを前提とした。本実施の形態では、ＤＣＮ回線の不具合が生じた場合には、管理イベント通知を再送し、到達性を担保する場合について説明する。
【００６６】
本実施の形態は、一例として、実施の形態３の付加的な機能である場合を説明するが、本実施の形態の構成および動作は、実施の形態１〜４のいずれについても当然適用できる。
【００６７】
図１７は、本実施の形態における管理ネットワークの構成例を示す図である。図１７の管理ネットワークは、図１１の管理ネットワークと比較すると、ネットワーク機器２Ｃに代えてネットワーク機器２Ｅを備える。また、管理情報要求処理部２３に代えて管理情報要求処理部２３Ｅを備える。管理情報要求処理部２３Ｅは、管理イベント通知を送信してから詳細情報要求メッセージを受信するまで制限するための、待機時間を保持する。待機時間は、ユーザにより設定可能である。
【００６８】
つづいて、以上のように構成された管理ネットワークにおける動作について説明する。図１８は、本実施の形態におけるネットワーク機器２Ｅの動作を示すフローチャートである。本実施の形態では、一例として実施の形態３の動作を踏襲することとし、図１８のフローチャートは、図１４のフローチャートをベースとする。ネットワーク機器２Ｅの各部は、管理イベント通知をネットワーク管理装置１Ｃに送信する（ステップＳ３１）。
【００６９】
ネットワーク機器２Ｅの管理情報要求処理部２３Ｅは、所定の待機時間にわたって、ネットワーク管理装置１Ｃからの詳細情報要求の受信を待機する。待機時間内にネットワーク管理装置１から詳細情報要求を受信した場合には（ステップＳ５１：Ｙｅｓ）、上述同様、ステップＳ３３以降の動作を行う。一方、待機時間内にネットワーク管理装置１から詳細情報要求を受信しない場合には（ステップＳ５１：Ｎｏ）、ＤＣＮ回線４に、たとえば輻輳など何らかの不具合が発生し、管理イベント通知が到達しなかったと考えられる場合は、ネットワーク機器２Ｅの管理情報要求処理部２３Ｅにて、管理イベント通知を再送すべきと判断し、ステップＳ３１で送信した管理イベント通知を再送する（ステップＳ５２）。ステップＳ５２の処理に戻り、管理情報要求処理部２３Ｅは、再送後、所定の待機時間にわたってネットワーク管理装置１Ｃからの詳細情報要求の受信を待機する。以後、詳細情報要求を受信するまでの間（ステップＳ５１：Ｙｅｓ）、ステップＳ５１およびＳ５２の処理を繰り返す。なお、必ずしも一時的な不具合とは限らないため、再送回数を制限してもよい。
【００７０】
また、本実施の形態では、所定の待機時間を経過すると管理イベントを再送するが、再送までの時間に制約がない場合には、その後、ネットワーク機器２Ｅで管理イベントが発生し、管理イベント通知を送信することとなったときに、まとめて通知してもよい。いずれの場合にも、管理イベント通知を漏れなくネットワーク管理装置１Ｃへ送信できる。
【００７１】
以上説明したように、本実施の形態では、管理イベント通知の不達を想定し、所定の条件によって再送する構成とした。これにより、漏れなく管理イベント通知が送信可能となり、管理ネットワークにおける管理の信頼性を向上できる。
【産業上の利用可能性】
【００７２】
以上のように、本発明にかかるネットワーク管理方法は、ネットワークを管理する場合に有用であり、特に、ネットワークの帯域に制約がある場合に適している。
【符号の説明】
【００７３】
１，１Ｂ，１Ｃ，１Ｄ  ネットワーク管理装置
２，２Ｂ，２Ｃ，２Ｅ  ネットワーク機器
３，３Ｄ  ネットワーク管理端末
４  ＤＣＮ回線
１１  管理イベント受信部
１２，１２Ｂ，１２Ｃ，１２Ｄ  管理イベント解析部
１３，１３Ｄ  管理情報処理部
１４，１４Ｃ  ネットワーク情報管理部
１５，１５Ｄ  ユーザ処理部
１６  管理情報取得部
２１，２１Ｂ  管理イベント生成部
２２  管理イベント送信部
２３，２３Ｅ  管理情報要求処理部
２４  機器情報管理部
２５  管理情報解析部
【図１】
2010245841.tif 000003
【図２】
2010245841.tif 000004
【図３】
2010245841.tif 000005
【図４】
2010245841.tif 000006
【図５】
2010245841.tif 000007
【図６−１】
2010245841.tif 000008
【図６−２】
2010245841.tif 000009
【図７】
2010245841.tif 000010
【図８】
2010245841.tif 000011
【図９】
2010245841.tif 000012
【図１０】
2010245841.tif 000013
【図１１】
2010245841.tif 000014
【図１２】
2010245841.tif 000015
【図１３−１】
2010245841.tif 000016
【図１３−２】
2010245841.tif 000017
【図１４】
2010245841.tif 000018
【図１５】
2010245841.tif 000019
【図１６】
2010245841.tif 000020
【図１７】
2010245841.tif 000021
【図１８】
2010245841.tif 000022